(57)【要約】【課題】ゲート用ポンプを取り外した際の逆流を防止すると共に、本川の水流やゴミ等による止水性の悪化も有効に防止するポンプゲート装置を提供する。【解決手段】水路２１における上流側が止水面とされる止水ゲート扉体２４に、下流側にポンプ連結手段２７を有する接続管２５を備える。横軸タイプのゲート用ポンプを収容したポンプケーシング２９の下降操作により、ポンプ連結手段２７と連結手段３２を介してポンプケーシング２９が接続管２５に自動的に接続される。止水ゲート扉体２４の上流側から下流側への流れを許容すると共に逆流を防止するフラップ弁３３がポンプケーシング２９よりも上流側に配置される。【選択図】      図１
2005002717.tif 000002
【特許請求の範囲】
【請求項１】
水路における上流側が止水面とされる止水ゲート扉体に、下流側にポンプ連結手段を有する接続管が備えられ、横軸タイプのゲート用ポンプを収容したポンプケーシングの下降操作により、前記ポンプ連結手段を介してポンプケーシングが接続管に着脱自在に自動的に接続され、ゲート用ポンプの作動により、止水ゲート扉体の上流側から下流側への流れを許容すると共に逆流を防止する弁体、接続管およびポンプケーシングを通じて下流側に強制排水可能としたポンプゲート装置において、
前記弁体が、前記ポンプケーシングよりも上流側に配置されたことを特徴とするポンプゲート装置。
【請求項２】
前記弁体が前記接続管に備えられ、接続管が前記止水ゲート扉体に対して嵌め込み方式により装着されることを特徴とする請求項１に記載のポンプゲート装置。
【発明の詳細な説明】
【０００１】
【発明の属する技術分野】
本発明は、農業用水の強制排除、河川への強制排水、浸水対策、下水処理場等に利用されるポンプゲート装置の改良に関するものである。
【０００２】
【従来の技術】
従来、洪水時等において、河川の水が水路に逆流するのを防止すると共に、河川への強制排水を可能とすべく、水路から河川に通じる排水経路途中に設置されるポンプゲート装置がある（例えば、特許文献１参照。）。
【０００３】
このポンプゲート装置は、図５に示されるように、水路１に形成されたゲート開口２を、昇降操作により下流側から開閉するいわゆる正圧方式のポンプゲート３を備えた構造とされている。そして、このポンプゲート３は、ゲート開口２よりも大形に構成された止水ゲート扉体４を備え、止水ゲート扉体４には、水平方向に貫通して止水ゲート扉体４の上流側の水路１Ａと下流側の水路１Ｂとを連通させる通水管５が装着されている。
【０００４】
この通水管５の下流側端部にはポンプ連結手段７が備えられると共に、止水ゲート扉体４より下流側に突出する通水管５の上面部には、一対のガイドパイプ８が上下方向の軸心を有して立設状に取り付けられている。
【０００５】
また、ポンプケーシング９内には横軸タイプのゲート用ポンプ１０が収容されると共に、ポンプケーシング９の一端部にスライド部材１１が張出状に備えられている。
【０００６】
そして、スライド部材１１によるガイドパイプ８に沿ったスライド案内下、ポンプケーシング９は昇降操作自在とされ、その下降端位置でポンプケーシング９の前記一端部に備えられた連結手段１２が、ポンプ連結手段７に着脱自在に係合して、通水管５とポンプケーシング９とが自動的に水密状態で着脱自在に接続されるように構成されている。
【０００７】
また、ポンプケーシング９の下流側端部にも、ポンプ連結手段７と同様構成の弁体連結手段１３が備えられ、前記スライド部材１１や連結手段１２と同様構成の第２のスライド部材１４や第２の連結手段１５を備えたフラップ弁１６が、前記同様、弁体連結手段１３を介して、ポンプケーシング９に着脱自在に装着された構造とされている。
【０００８】
そして、ゲート用ポンプ１０の作動により、上流側の水路１Ａの水が通水管５、ポンプケーシング９、フラップ弁１６を通じて下流側の水路１Ｂに強制排水されるように構成されている。
【０００９】
また、ゲート用ポンプ１０の点検・保守作業等のメンテナンス時においては、吊下げチェーン等を介してポンプケーシング９をガイドパイプ８に沿って吊り上げれば、容易に取り外すことができる。この際、河川側からの逆流を防止すべく、ポンプゲート３を閉じておく必要があれば、ポンプケーシング９からフラップ弁１６を取り外し、図６に示されるように、フラップ弁１６をガイドパイプ８によるスライド案内下、下降操作すれば、ポンプケーシング９と同様、通水管５の下流側端部にフラップ弁１６を装着した状態が得られ、上流側の水路１Ａから下流側の水路１Ｂへの流れは許容するが、下流側の水路１Ｂから上流側の水路１Ａへの逆流は有効に防止できる構造とされている。
【００１０】
【特許文献１】
特開２００２−１２１７３０号公報
【００１１】
【発明が解決しようとする課題】
しかしながら、上記特許文献１に開示のポンプゲート装置によれば、ポンプケーシング９の下流側にフラップ弁１６が装着されているため、メンテナンス時におけるポンプケーシング９の取り外しに際して、一旦、フラップ弁１６も取り外されるため、フラップ弁１６が装着されるまでは本川としての河川側からの逆流を防止できず、河川側の水位が高い状況下においては、ポンプケーシング９の取り外しを行い難いという欠点があった。
【００１２】
また、フラップ弁１６が下流側の水路１Ｂに露出状態で配置された構造であり、河川を流れる水流によってフラップ弁１６の止水性が十分に確保できないおそれがあると共に、河川を流れるゴミ等がフラップ弁１６の合わせ面に絡みついたり、河川を流れるゴミ等の異物のフラップ弁１６に対する衝突等による破損によって、止水性が悪化するおそれもあった。
【００１３】
そこで、本発明は上記問題点に鑑み、ゲート用ポンプを取り外した際の逆流を防止すると共に、本川の水流やゴミ等による止水性の悪化も有効に防止するポンプゲート装置を提供すること目的とする。
【００１４】
【課題を解決するための手段】
上記目的を達成するための技術的手段は、水路における上流側が止水面とされる止水ゲート扉体に、下流側にポンプ連結手段を有する接続管が備えられ、横軸タイプのゲート用ポンプを収容したポンプケーシングの下降操作により、前記ポンプ連結手段を介してポンプケーシングが接続管に着脱自在に自動的に接続され、ゲート用ポンプの作動により、止水ゲート扉体の上流側から下流側への流れを許容すると共に逆流を防止する弁体、接続管およびポンプケーシングを通じて下流側に強制排水可能としたポンプゲート装置において、前記弁体が、前記ポンプケーシングよりも上流側に配置された点にある。
【００１５】
また、前記弁体が前記接続管に備えられ、接続管が前記止水ゲート扉体に対して嵌め込み方式により装着される構造としてもよい。
【００１６】
【発明の実施の形態】
以下、本発明の実施形態を図面に基づいて説明すると、図１および図２に示されるように、水路２１に形成された矩形のゲート開口２２を、従来同様、昇降操作により下流側から開閉するいわゆる正圧方式のポンプゲート２３を備えた構造とされている。そして、このポンプゲート２３は、ゲート開口２２よりも大形に構成された矩形の止水ゲート扉体２４を備え、止水ゲート扉体２４における上流側が止水面となる構造とされている。
【００１７】
この止水ゲート扉体２４には、水平方向に貫通状として止水ゲート扉体２４の上流側の水路２１Ａと河川とつながる下流側の水路２１Ｂとを連通させる接続管２５が装着されており、接続管２５の下流側端部には従来同様、ポンプ連結手段２７が備えられている。
【００１８】
また、止水ゲート扉体２４より下流側に突出する接続管２５の上面部に、一対のガイド杆としてのガイドパイプ２８が上下方向の軸心を有して立設状に取り付けられている。この際、一対のガイドパイプ２８は、接続管２５上面部の径方向略中央部に位置されると共に互いに適宜間隔を有して平行状に配置されており、両ガイドパイプ２８の外側方両側にそれぞれポンプ連結手段２７を備えた構造とされている。
【００１９】
また、筒状のポンプケーシング２９内には横軸タイプの例えば軸流ポンプ等からなるゲート用ポンプ（図示省略）が収容されると共に、ポンプケーシング２９の接続管２５側端部にスライド部材３１が張出状に備えられている。このスライド部材３１は両ガイドパイプ２８を外側から挟み込むように抱持する対向する凹状の抱持部を備え、抱持部を両ガイドパイプ２８に嵌合させた状態で、ポンプケーシング２９を上下方向に昇降操作可能に構成されている。
【００２０】
ここに、スライド部材３１によるガイドパイプ２８に沿ったスライド案内下、ポンプケーシング２９は昇降操作自在とされ、その下降端位置でスライド部材３１の両側に備えられた連結手段３２が、ポンプ連結手段２７に着脱自在に係合して、接続管２５とポンプケーシング２９とが自動的に水密状態で着脱自在に接続されるように構成されている。
【００２１】
また、接続管２５の上流側端部には、上流側の水路２１Ａから下流側の水路２１Ｂへの流れを許容すべく、下端側が下流側方向に揺動自在として上端部が枢支連結された弁体としてのフラップ弁３３が備えられ、フラップ弁３３は接続管２５の上流側開口２５ａを内側から開閉自在に閉鎖する構造とされている。
【００２２】
さらに、フラップ弁３３は接続管２５内部に収容状に装着されており、図３および図４にも示される如く、接続管２５は、止水ゲート扉体２４に備えられた接続管取付孔部２４ａに嵌め込み方式で装着されるいわゆるカートリッジ方式とされ、接続管取付孔部２４ａに嵌め込んだ状態で、接続管２５の下流側端部の外周面に張出形成された取付フランジ部３５を止水ゲート扉体２４の一側面にボルト締結すること等によって着脱自在に装着する構造とされている。
【００２３】
また、止水ゲート扉体２４の上部には、上方向に向けて昇降用スピンドル３６が延設配置されており、この昇降用スピンドル３６に連動連結されたゲート開閉装置が上方部に設置され、ゲート開閉装置による開閉操作によりポンプゲート２３が昇降操作され、水路２１のゲート開口２２が開閉操作可能に構成されている。
【００２４】
さらに、ポンプケーシング２９の上部には、図１および図２に示される如く、昇降操作用の吊下げチェーン３７が連結されている。
【００２５】
本実施形態におけるポンプゲート２３は以上のように構成されており、上流側の水路２１Ａの水位が下流側の水路２１Ｂ、即ち本川としての河川側水位より高いときは、ポンプゲート２３の開状態で自然流下により排水させたり、ポンプゲート２３の閉状態で、ポンプゲート２３に揺動自在に備えられたフラップ弁３３を利用して自然流下により排水させ、また、上流側の水路１Ａの水位が河川側水位より低いときは、自然排水が不可能となるため、ポンプゲート２３の閉状態で、ポンプゲート２３に備えられたゲート用ポンプを作動して、フラップ弁３３、接続管２５、ポンプケーシング２９を通じて強制的に排水させればよい。
【００２６】
また、ゲート用ポンプの点検・保守作業等のメンテナンス時においては、図２に示される如く、吊下げチェーン３７によりポンプケーシング２９をガイドパイプ２８に沿って吊り上げれば、接続管２５よりポンプケーシング２９を容易に取り外すことができる。
【００２７】
この際、フラップ弁３３はポンプケーシング２９の上流側に位置する接続管２５内に備えられた構造であり、ポンプケーシング２９を取り外した状態においても、フラップ弁３３は上流側の水路２１Ａから下流側の水路２１Ｂへの流れを許容すると共に逆流を有効に防止することができる。
【００２８】
従って、河川側の水位が高い状況下においてもフラップ弁３３によって逆流が有効に防止できるため、河川側水位の高い低いにかかわらずポンプケーシング２９を取り外すことができ、メンテナンス性に優れる利点がある。
【００２９】
また、フラップ弁３３は接続管２５内に収容状に配置されているため、河川を流れる水流による影響を直接、受け難く、さらには河川を流れるゴミ等の異物の絡みつきや衝突等による損傷も有効に防止でき、フラップ弁３３の止水性の悪化を有効に防止でき、止水性が良好に確保できる。従って、水流の影響が大きく、異物の絡みつきや衝突等の可能性も大きな河川の川表にポンプゲート２３を設置する場合においても、止水性が有効に確保できる利点がある。
【００３０】
さらに、止水ゲート扉体２４に対する接続管２５の取り付けも、カートリッジ方式とされているため、止水ゲート扉体２４の接続管取付孔部２４ａに対して接続管２５を嵌め込み、取付フランジ部３５をボルト止めすればよく、接続管２５の取付作業も容易に行える利点がある。
【００３１】
なお、ポンプケーシング２９の昇降操作による接続管２５とポンプケーシング２９との自動的な接続構造におけるスライド部材３１とガイドパイプ２８とのスライド構造や、ポンプ連結手段２７と連結手段３２との連結構造は、上記実施形態の構造に何ら限られるものでなく、各種の構造を適宜採用すればよい。
【００３２】
【発明の効果】
以上のように、本発明のポンプゲート装置によれば、弁体がポンプケーシングよりも上流側に配置された構造であり、ゲート用ポンプを取り外した際においても弁体による逆流を防止する機能が有効に発揮でき、本川側の水位が高いときでもゲート用ポンプの点検・保守作業等のメンテナンスが行えると共に、本川の水流やゴミ等による止水性の悪化も有効に防止することができるという利点がある。
【００３３】
また、弁体が接続管に備えられ、接続管が止水ゲート扉体に対して嵌め込み方式により装着される構造とすることによって、止水ゲート扉体に対する接続管の装着作業も容易に行えるという利点がある。
【図面の簡単な説明】
【図１】本発明の実施形態を示す一部断面側面図である。
【図２】同ポンプケーシングの取り外し説明図である。
【図３】止水ゲート扉体に対する接続管の装着説明図である。
【図４】同装着状態の一部断面側面図である。
【図５】従来のポンプゲートを示す断面側面図である。
【図６】同ポンプケーシングを除いた状態の側面図である。
【符号の説明】
２１  水路
２２  ゲート開口
２３  ポンプゲート
２４  止水ゲート扉体
２５  接続管
２７  ポンプ連結手段
２８  ガイドパイプ
２９  ポンプケーシング
３１  スライド部材
３２  連結手段
３３  フラップ弁
３５  取付フランジ部
３７  吊下げチェーン
【図１】
2005002717.tif 000003
【図２】
2005002717.tif 000004
【図３】
2005002717.tif 000005
【図４】
2005002717.tif 000006
【図５】
2005002717.tif 000007
【図６】
2005002717.tif 000008